(57)【特許請求の範囲】
【請求項１】
遊技機本体側に設けられた第１情報機器と、
前記第１情報機器から延びる第１ケーブルの先端に設けられた第１コネクタと、
支持ピンを介して前記遊技機本体に開閉可能に取り付けられた上皿ユニットと、
前記上皿ユニットに設けられた第２情報機器と、
前記第２情報機器から延びる第２ケーブルの先端に設けられ、前記支持ピンと平行に前記上皿ユニットの裏面に設けた揺動軸にて揺動可能に支持され、常には前記上皿ユニットの裏面に設けたストッパに当接するように上から見て反時計方向へバネにより付勢されている第２コネクタと、
前記支持ピンを介して遊技機本体に揺動可能に取り付けられて前記遊技機本体と前記上皿ユニットとの間に配置され、前記上皿ユニットとは独立して第１停止位置（Ｐ１）と第２停止位置（Ｐ２）の間でのみ揺動可能であり、前記第１コネクタを支持する揺動体とを備え、
前記上皿ユニットが開かれていて前記第１コネクタと前記第２コネクタとが非接続の状態から、前記上皿ユニットを閉じる方向に回転させると、前記第２コネクタが前記第１コネクタを押圧し該第１コネクタと共に前記揺動体を前記上皿ユニットと同方向に回動させ、この回動により前記揺動体が前記第１停止位置（Ｐ１）に至ると前記第１コネクタと前記第２コネクタとが対面状態となり、更に前記上皿ユニットを閉じる方向に回転させると前記第１コネクタと前記第２コネクタが接続され、
前記上皿ユニットが閉じられて前記第１コネクタと前記第２コネクタとが接続されている状態から前記上皿ユニットを開いても、前記揺動体が第１停止位置（Ｐ１）〜第２停止位置（Ｐ２）の範囲にあるときは、前記揺動体が前記上皿ユニットと共に揺動するために前記第１コネクタと前記第２コネクタとの接続状態が維持され、
前記揺動体が第２停止位置（Ｐ２）に至った状態から更に前記上皿ユニットを開けば、前記第１コネクタと前記第２コネクタとの接続状態が解除される
ことを特徴とする遊技機のコネクタ接続機構。
【請求項２】
前記第１コネクタは雄型コネクタ、前記第２コネクタは雌型コネクタであることを特徴とする請求項１記載の遊技機のコネクタ接続機構。
【発明の詳細な説明】
【０００１】
【発明の属する技術分野】
本発明は、遊技機本体側に設けた第１情報機器の第１コネクタと上皿ユニット側に設けた第２情報機器の第２コネクタとを接続するための遊技機のコネクタ接続機構に関する。
【０００２】
【従来の技術】
従来、例えばパチンコ機等の遊技機として、遊技機本体側に遊技球貸出装置を設け、上皿ユニット側にこの遊技球貸出装置の操作パネルを設けたものが知られている。
【０００３】
例えば、特開平７−８６２２号には、図７に示すような遊技機が開示されている。この遊技機において、遊技者は、有価データが記録されたカード（例えばプリペイドカード）を遊技球貸出装置１１１のカード出入口１１１ｃに挿入する。すると、遊技球貸出装置１１１は、挿入されたカードの有価データを読み取り、読み取ったデータをケーブルを介して上皿ユニット１０７に設けた操作パネルの表示装置１２９に送信する。すると、操作パネルの表示装置１２９はその有価データを表示する。
【０００４】
かかる特開平７−８６２２号の遊技機では、遊技球貸出装置１１１から延び出したケーブルの先端に設けた第１コネクタ１１８を遊技機本体１０２に固定し、操作パネルから延び出したケーブルの先端に設けた第２コネクタ１２３を上皿ユニット１０７に固定して、上皿ユニット１０７を開放したときには両コネクタ１１８、１２３の接続が解除され、上皿ユニット１０７を閉じたときには両コネクタ１１８、１２３が接続されるように構成されている。また、上皿ユニット１０７を開放したときに両コネクタ１１８、１２３の接続が解除されると操作パネルの表示装置１２９の表示が消えてしまうことに鑑み、上皿ユニット１０７を開放したときには太陽電池により操作パネルに電力を供給している。
【０００５】
【発明が解決しようとする課題】
しかしながら、特開平７−８６２２号の遊技機では、上皿ユニット１０７を閉じたときに上皿ユニット１０７側の第２コネクタ１２３が遊技機本体２側の第１コネクタ１１８に差し込まれて接続されるため、接続作業が簡易であるという利点はあるものの、操作パネルに電力を供給する太陽電池を設ける必要があるため、その分コストや組付けの手間がかかるという問題があった。
【０００６】
また、遊技機本体１０２の第１コネクタ１１８と上皿ユニット１０７の第２コネクタ１２３との位置関係は精度よく定められているものではない。例えば、金枠が外枠である木製枠に歪んでビス止めされていたり、上皿ユニット１０７の開閉支軸に余裕が大きくとってあったりしたときには、上皿ユニット１０７が所定位置よりもずれて取り付けられているため、上皿ユニット１０７を閉じただけでは、第２コネクタ１２３が遊技機本体１０２の第１コネクタ１１８に差し込まれないことがあった。
【０００７】
本発明は上記課題に鑑みなされたものであり、遊技機本体側のコネクタと上皿ユニット側のコネクタを容易に接続でき、しかも開閉しても接続状態が維持され、更に容易に接続を解除できる遊技機のコネクタ接続機構を提供することを目的とする。
【０００８】
【課題を解決するための手段及び発明の効果】
上記課題を解決するため、請求項１記載の遊技機のコネクタ接続機構は、
遊技機本体側に設けられた第１情報機器と、前記第１情報機器から延びる第１ケーブルの先端に設けられた第１コネクタと、支持ピンを介して前記遊技機本体に開閉可能に取り付けられた上皿ユニットと、前記上皿ユニットに設けられた第２情報機器と、前記第２情報機器から延びる第２ケーブルの先端に設けられ、前記支持ピンと平行に前記上皿ユニットの裏面に設けた揺動軸にて揺動可能に支持され、常には前記上皿ユニットの裏面に設けたストッパに当接するように上から見て反時計方向へバネにより付勢されている第２コネクタと、前記支持ピンを介して遊技機本体に揺動可能に取り付けられて前記遊技機本体と前記上皿ユニットとの間に配置され、前記上皿ユニットとは独立して第１停止位置（Ｐ１）と第２停止位置（Ｐ２）の間でのみ揺動可能であり、前記第１コネクタを支持する揺動体とを備え、
前記上皿ユニットが開かれて前記第１コネクタと前記第２コネクタとが非接続の状態から、前記上皿ユニットを閉じる方向に回転させると、前記第２コネクタが前記第１コネクタを押圧し該第１コネクタと共に前記揺動体を前記上皿ユニットと同方向に回動させ、この回動により前記揺動体が前記第１停止位置（Ｐ１）に至ると前記第１コネクタと前記第２コネクタとが対面状態となり、更に前記上皿ユニットを閉じる方向に回転させると前記第１コネクタと前記第２コネクタが接続され、前記上皿ユニットが閉じられて前記第１コネクタと前記第２コネクタとが接続されている状態から前記上皿ユニットを開いても、前記揺動体が第１停止位置（Ｐ１）〜第２停止位置（Ｐ２）の範囲にあるときは、前記揺動体が前記上皿ユニットと共に揺動するために前記第１コネクタと前記第２コネクタとの接続状態が維持され、前記揺動体が第２停止位置（Ｐ２）に至った状態から更に前記上皿ユニットを開けば、前記第１コネクタと前記第２コネクタとの接続状態が解除されることを特徴とする。
【０００９】
請求項１記載の遊技機のコネクタ接続機構では、上皿ユニットは支持ピンを介して遊技機本体に開閉可能に取り付けられている。ここで、遊技機本体とは、遊技機のうちガラス枠や上皿ユニット等の開閉可能な部材を除いた部分、即ち遊技機設置島に固定されている部分をいう。遊技機本体に設けられた第１情報機器は、例えば遊技球貸出装置等であり、信号の送受信を行うための第１ケーブルを備えている。この第１ケーブルの先端には第１コネクタが設けられており、第１コネクタは揺動体に支持される。
【００１０】
一方、上皿ユニットに設けられた第２情報機器は、例えばＬＣＤを備えた表示装置等であり、信号の送受信を行うための第２ケーブルを備えている。この第２ケーブルの先端に設けた第２コネクタは、支持ピンと平行に上皿ユニットの裏面に設けた揺動軸にて揺動可能に支持され、常には上皿ユニットの裏面に設けたストッパに当接するように上から見て反時計方向へバネにより付勢されている。
第１コネクタを支持する揺動体は、支持ピンを介して遊技機本体に揺動可能に取り付けられて遊技機本体と上皿ユニットとの間に配置され、上皿ユニットとは独立して第１停止位置（Ｐ１）と第２停止位置（Ｐ２）の間でのみ揺動可能である。
【００１１】
そして、上皿ユニットが開かれて第１コネクタと第２コネクタとが非接続の状態から、上皿ユニットを閉じる方向に回転させると、第２コネクタが第１コネクタを押圧し第１コネクタと共に揺動体を上皿ユニットと同方向に回動させ、この回動により揺動体が第１停止位置（Ｐ１）に至ると第１コネクタと第２コネクタとが対面状態となり、更に上皿ユニットを閉じる方向に回転させると第１コネクタと第２コネクタが接続される。このように上皿ユニットが閉じられて第１コネクタと第２コネクタとが接続されている状態から上皿ユニットを開いても、揺動体が第１停止位置（Ｐ１）〜第２停止位置（Ｐ２）の範囲にあるときは、揺動体が上皿ユニットと共に揺動するために第１コネクタと第２コネクタとの接続状態が維持され、揺動体が第２停止位置（Ｐ２）に至った状態から更に上皿ユニットを開けば、第１コネクタと第２コネクタとの接続状態が解除される。
【００１４】
かかる請求項１記載の遊技機のコネクタ接続機構によれば、上皿ユニットを閉じるだけで両コネクタを接続できるため、両コネクタの接続作業が容易である。また、上皿ユニットを開いても、揺動体が第１停止位置（Ｐ１）〜第２停止位置（Ｐ２）の範囲にある間は接続状態が維持されるため、第１情報機器と第２情報機器の電気的な接続は維持される。そして、上皿ユニットをそれよりも大きく開くだけで、両コネクタの接続を容易に解除できる。
【００１５】
かかる遊技機のコネクタ接続機構においては、請求項２に記載したように、前記第１コネクタは雄型コネクタ、前記第２コネクタは雌型コネクタであるのが好ましい。
【００１６】
【発明の実施の形態】
以下に、本発明の好適な実施例を図面に基づいて説明する。尚、本発明の実施の形態は、下記の実施例に何ら限定されるものではなく、本発明の技術的範囲に属する限り種々の形態を採り得ることはいうまでもない。
［第１実施例］
図１は第１実施例の遊技機の外観斜視図、図２は電気的接続を表す概略ブロック図、図３は上皿ユニットの組立斜視図、図４は上皿ユニットの斜視図である。
【００１７】
本実施例の遊技機１は、図１に示すように、遊技盤（図示略）を有する前枠４を備えた遊技機本体２と、この前枠４に開閉可能に取り付けられたガラス枠５と、ガラス枠５の下方において前枠４に開閉可能に取り付けられた上皿ユニット７と、この上皿ユニット７の下方において前枠４に取り付けられ、上皿２１から溢れた遊技球が集合させられる受け皿８と、この受け皿８の側部に設けられ、遊技球の発射の勢いを調整する操作ダイヤル１０と、遊技機本体２の側部に併設され、プリペイドカードにより遊技球の貸し出しを行う遊技球貸出装置１１（第１発明の第１情報機器）とによって概略構成されている。
【００１８】
遊技球貸出装置１１は、カードリーダ・ライタ１１ａやカード排出機構１１ｂなどを備えている（図２参照）。遊技球貸出装置１１の前面にはカード出入口１１ｃが形成され、このカード出入口１１ｃから挿入されたプリペイドカードは遊技球貸出装置１１の内部に設けられているカードリーダ・ライタ１１ａへ送り込まれる。カードリーダ・ライタ１１ａはプリペイドカードに書き込まれた有価データを読み出したり、プリペイドカードに書き込まれた有価データを変更したりするものである。また、カードリーダ・ライタ１１ａに送り込まれたプリペイドカードは、カード排出機構１１ｂによってカード出入口１１ｃから排出される。
【００１９】
本発明の特徴の１つである上皿ユニット７は、図３及び図４に示すように、上皿装着部材１２と上皿ユニット本体２０から構成される。
上皿装着部材１２は、略コ字状であり、そのうち上辺と下辺にはガイドレール１３、１３が形成され、このガイドレール１３、１３の先端側には突片１４、１４が形成されている。また、垂直方向に延びる垂辺には、遊技機本体２の前枠４に回動可能に取り付けるためのヒンジ１５が設けられている。更に、この垂辺には、遊技球貸出装置１１から延びるケーブル１６（第１発明の第１ケーブル）の先端に設けた基板１６ａを挟み込むための基板挟持部１７が設けられている。そして、基板挟持部１７は基板１６ａを挟み込むことにより雄型コネクタ１８（第１発明の第１コネクタ）を形成している。
【００２０】
上皿ユニット本体２０は、上皿２１、操作パネル２２、雌型コネクタ２３、差込みレール２４、遊技球案内部２５などを備えている。
上皿２１は、図１に示すように、上皿ユニット本体２０の表側に設けられている。この上皿２１は、遊技球を発射装置（図示せず）へ供給するためのものである。
【００２１】
操作パネル２２は、図１に示すように、上皿ユニット本体２０の表側に設けられている。この操作パネル２２は、遊技球貸出装置１１を操作するためのものであり、遊技球の貸し出しを受けるための玉貸ボタン２６と、遊技を終えて遊技球貸出装置１１のカード出入口１１ｃからプリペイドカードを排出させるための清算ボタン２７と、貸し出し可能な状態を表示するための表示ランプ２８と、プリペイドカードの有価データの情報を表示するためのＬＣＤを有する表示装置２９（第１発明の第２情報機器）とを備えている。
【００２２】
雌型コネクタ２３（第１発明の第２コネクタ）は、図２に示すように、操作パネル２２の玉貸ボタン２６に連結された玉貸スイッチ２６ａ、清算ボタン２７に連結された清算スイッチ２７ａ、表示ランプ２８、表示装置２９からそれぞれ延び出したケーブル３０（第１発明の第２ケーブル）の先端に取り付けられている。この雌型コネクタ２３は、図３に示すように、上皿ユニット本体２０に設けた開口３１を通じて、上皿ユニット本体２０の裏側に固定されている。
【００２３】
差込みレール２４、２４は、図３に示すように、上皿ユニット本体２０の裏側の上辺及び下辺に設けられ、上皿装着部材１２に設けたガイドレール１３、１３に対してスライド操作により差し込まれるように形成されている。この差込みレール２４、２４の基端側には、ガイドレール１３、１３に設けた突片１４、１４と係止可能な係止孔３２ａ、３２ａを備えた爪部３２、３２が設けられている。爪部３２、３２は、板バネ状に形成され、常には差込みレール２４、２４に接触する方向に付勢されている。
【００２４】
遊技球案内部２５は、図３に示すように、上皿ユニット本体２０の裏側に設けられ、上皿２１へ遊技球を導くためのものである。
尚、雄型コネクタ１８を雌型コネクタ２３に差込む（又は引抜く）方向は、ガイドレール１３、１３が延びる方向、即ちスライド方向と一致している。
【００２５】
このように上皿ユニット本体２０と上皿装着部材１２より構成される上皿ユニット７を遊技機本体２の前枠４に取り付ける手順について図３及び図４に基づいて説明する。
まず、遊技機本体２の前枠４に、ヒンジ１５を介して上皿装着部材１２を揺動可能に取り付ける。そして、遊技球貸出装置１１から延び出したケーブル１６の先端に取り付けられた基板１６ａを基板挟持部１７に挟持させ、雄型コネクタ１８とする。ここで、上皿装着部材１２は略コ字状に形成され、且つ、横方向の長さが上皿ユニット本体２０よりも短く構成されているため、上皿装着部材１２の基板挟持部１７に基板１６ａを挟持する際の作業が容易となる。
【００２６】
続いて、上皿装着部材１２のガイドレール１３、１３に上皿ユニット本体２０の差込みレール２４、２４をスライドさせて差し込む。この差込み操作の途中、ガイドレール１３、１３の突片１４、１４は差込みレール２４、２４の爪部３２、３２を一旦押し上げ、その後、突片１４、１４は係止孔３２ａ、３２ａが設けられた位置に至ると爪部３２、３２の付勢によって係止孔３２ａ、３２ａに係止される。この係止位置において、上皿ユニット本体２０の雌型コネクタ２３に上皿装着部材１２の雄型コネクタ１８が差し込まれて接続状態となる。このようにして上皿ユニット７は、遊技機本体２の前枠４にヒンジ１５を介して開閉可能に取り付けられる。
【００２７】
このように上皿ユニット本体２０の雌型コネクタ２３と上皿装着部材１２の雄型コネクタ１８とが接続された状態で、遊技球貸出装置１１のカード出入口１１ｃにプリペイドカードを挿入すると、カードリーダ・ライタ１１ａ（図２参照）がそのプリペイドカードの情報を読み出す。すると、読み出された情報は、遊技球貸出装置１１から延びるケーブル１６、雄型コネクタ１８、雌型コネクタ２３、操作パネル２２から延びるケーブル３０を介して表示装置２９に送られる。すると、表示装置２９によってその情報がＬＣＤに表示される。また、操作パネル２２の玉貸ボタン２６によってプリペイドカードの有価データの範囲内（残高の範囲内）で遊技球の貸出を受けることにより有価データが変更されたとき、その情報はケーブル１６、３０及びコネクタ１８、２３を介して遊技球貸出装置１１のカードリーダ・ライタ１１ａに送られる。すると、カードリーダ・ライタ１１ａはその情報をプリペイドカードに書き込む。更に、清算ボタン２７が押されたとき、その情報はケーブル１６、３０及びコネクタ１８、２３を介してカード排出機構１１ｂに送られる。すると、カード排出機構１１ｂが作動してプリペイドカードをカード出入口１１ｃから排出する。
【００２８】
かかる遊技機１によれば、遊技者が遊技機１を使用中に故障が発生して上皿ユニット７を開放する必要が生じた場合、上皿ユニット７を開放したとしても両コネクタ１８、２３は接続状態が維持されるため、操作パネル２２の表示装置２９の表示が消えたりするおそれがない。また、例えば、上皿ユニット本体２０を交換する必要が生じた場合には、上皿ユニット７を開放し、上皿ユニット本体２０の差込みレール２４、２４の基端側に設けた爪部３２、３２を指で起こし、係止孔３２ａ，３２ａとガイドレール１３、１３の突片１４、１４との係止を解除した状態で上皿ユニット本体２０を上皿装着部材１２から引き抜く。このとき、上皿ユニット本体２０は、両コネクタ１８、２３の差し込み方向に沿ってスライドされるため、両コネクタ１８、２３の接続は容易に解除される。
【００２９】
尚、上記実施例では上皿装着部材１２に雄型コネクタ１８、上皿ユニット本体２０に雌型コネクタ２３を取り付けたが、上皿装着部材１２に雌型コネクタ、上皿ユニット本体２０に雄型コネクタを取り付けてもよい。
［第２実施例］
第２実施例の遊技機１は、上皿ユニットの構成が異なること、及び、揺動体を備えていることを除き、上記第１実施例とほぼ同様の構成であるため、同一の構成要素については同一の符号を付しその説明を省略する。尚、第２実施例の遊技機１の外観斜視図は第１実施例と同様（図１参照）である。
【００３０】
図５は第２実施例の上皿ユニット及び揺動体の平面図である。
第２実施例の上皿ユニット５７は、遊技機本体２の前枠４に設けた支持ピン３を介して開閉可能に取り付けられている。この上皿ユニット５７は、上皿２１、操作パネル２２、雌型コネクタ５３、遊技球案内部２５などを備えている。ここで、上皿２１、操作パネル２２、遊技球案内部２５については、第１実施例と同様であるため、その説明は省略する。
【００３１】
雌型コネクタ５３（第２発明の第２コネクタ）は、操作パネル２２から延び出した図示しないケーブル（第２発明の第２ケーブル）の先端に取り付けられている。この雌型コネクタ５３は、上皿ユニット５７の裏面に設けた揺動軸５４に揺動可能に支持され、図６（ａ）に示すように、常には上皿ユニット５７の裏面に設けたストッパ５５に当接するようにコイルバネ（図示せず）により付勢されている。
【００３２】
揺動体５０は、遊技機本体２の前枠４にて、上皿ユニット５７の支持ピン３と同軸に取り付けられ、上皿ユニット５７とは独立して揺動可能となるように取り付けられている。この揺動体５０は、遊技機本体２と上皿ユニット５７の間に配置されている。また、この揺動体５０は、第１規制部５１及び第２規制部５２を備えている。第１規制部５１は、揺動体５０の反時計方向（図６参照）への回転を規制するものであり、前枠の横壁４ａに当接して揺動体５０をそれ以上反時計方向に回転させない。第２規制部５２は、揺動体５０の時計方向（図６参照）への回転を規制するものであり、前枠の前壁４ｂに当接して揺動体５０をそれ以上時計方向に回転させない。従って、揺動体５０は第１停止位置Ｐ１と第２停止位置Ｐ２の間でのみ揺動可能である。
【００３３】
この揺動体５０の表側には、遊技球貸出装置１１から延びる図示しないケーブル（第２発明の第１ケーブル）の先端に設けた雄型コネクタ５８（第２発明の第１コネクタ）が、上皿ユニット５７に支持された雌型コネクタ５３と接続可能な位置に固定されている。
【００３４】
次に、雄型コネクタ５８と雌型コネクタ５３を接続する手順について図６に基づいて説明する。図６は、第２実施例のコネクタの接続状態を表す説明図である。
図６（ａ）に示すように、上皿ユニット５７が完全に開かれた状態では、両コネクタ５３、５８は非接続状態である。この状態から、上皿ユニット５７を閉じる方向（反時計方向）に回転させると、上皿ユニット５７に設けた雌型コネクタ５３は、揺動体５０に設けた雄型コネクタ５８を押圧しつつ同方向に回動させる。そして、図６（ｂ）に示すように、揺動体５０の第１規制部５１が前枠４の横壁４ａに当接して第１停止位置Ｐ１に至ったとき、雄型コネクタ５８の向きは雌型コネクタ５３の係合溝の向きと一致するため、雄型コネクタ５８は雌型コネクタ５３に挿入可能な状態となる。そして、上皿ユニット５７を更に閉じる方向に回転させると、雌型コネクタ５３は上皿ユニット５７の裏面に対して垂直になるまで変位し、図６（ｃ）に示すように上皿ユニット５７が完全に閉じた状態になったとき、雄型コネクタ５８は雌型コネクタ５３に完全に差し込まれ、両者は接続状態となる。
【００３５】
次に、修理のとき等のように、上皿ユニット５７を開く必要がある場合について説明する。上皿ユニット５７が閉じた状態から所定角度θまで開く間（図６（ｄ）にて１点鎖線で表示）、つまり揺動体５０が第１停止位置Ｐ１から第２停止位置Ｐ２に至るまでの間、揺動体５０は支持ピン３周りに揺動可能であるため上皿ユニット５７と共に揺動する。このため、雄型コネクタ５８と雌型コネクタ５３は接続状態が維持されている。従って、上皿ユニット５７を所定角度θ以内で開いた状態で修理等を行えば、操作パネル２２の表示装置２９の表示が消えたりするおそれがない。
【００３６】
次に、雄型コネクタ５８と雌型コネクタ５３の接続を解除する手順について基づいて説明する。上皿ユニット５７を所定角度θ開いた状態（揺動体５０が第２停止位置Ｐ２に至った状態）から、更に上皿ユニット５７を開くと、揺動体５０は第２停止位置Ｐ２に停止したまま状態で、上皿ユニット５７だけが開く。即ち、図６（ｄ）の１点鎖線で示すように、雄型コネクタ５８は雌型コネクタ５３に対して垂直な状態を保ちつつ、実線で示す位置まで移動する間に雌型コネクタ５３から直線状に引き抜かれる。この実線で示す位置において、雌型コネクタ５３はストッパ５５に当接する。この実線で示す位置から更に上皿ユニット５７を開くと、図６（ａ）に示すように、雄型コネクタ５８は雌型コネクタ５３から完全に離脱する。これにより、両コネクタ５３、５８の接続は容易に解除される。
【００３７】
尚、第２実施例では、雌型コネクタ５３が上皿ユニット５７に対して変位可能としたが、その代わりに雄型コネクタ５８を揺動体５０に対して変位可能（揺動可能）としてもよい。
【図面の簡単な説明】
【図１】  第１実施例の遊技機の外観斜視図である。
【図２】  第１実施例の電気的接続を表す概略ブロック図である。
【図３】  第１実施例の上皿ユニットの組立斜視図である。
【図４】  第１実施例の上皿ユニットの斜視図である。
【図５】  第２実施例の上皿ユニット及び揺動体の平面図である。
【図６】  第２実施例のコネクタの接続状態を表す説明図である。
【図７】  従来の遊技機の斜視図である。
【符号の説明】
１・・・遊技機、                  ２・・・遊技機本体、
７・・・上皿ユニット、            １１・・・遊技球貸出装置、
１１ａ・・・カードリーダ・ライタ、１１ｂ・・・カード排出機構、
１２・・・上皿装着部材、          １３・・・ガイドレール、
１６、３０・・・ケーブル、        １８・・・雄型コネクタ、
２０・・・上皿ユニット本体、      ２１・・・上皿、
２２・・・操作パネル、            ２３・・・雌型コネクタ、
２４・・・差込みレール、          ２５・・・遊技球案内部、
２６・・・玉貸ボタン、            ２７・・・清算ボタン、
２８・・・表示ランプ、            ２９・・・表示装置
【図１】
0003965509.tif 000002
【図２】
0003965509.tif 000003
【図３】
0003965509.tif 000004
【図４】
0003965509.tif 000005
【図５】
0003965509.tif 000006
【図６】
0003965509.tif 000007
【図７】
0003965509.tif 000008